(57)【要約】【課題】電池ホルダ内に形成される流体通路から流体が漏洩することを抑制する２次電池の保持構造、を提供する。【解決手段】２次電池の保持構造は、電池セル３１と、電池セル３１を挟持して保持し、互いに組み合わされ、流体を流通させる吸気チャンバ２１、排気チャンバ２６および排ガス通路２８を形成する電池ホルダ１１および電池ホルダ１２とを備える。電池ホルダ１１は、電池ホルダ１２に向かって延出し、その延出する方向に沿って徐々に細くなる先細りの凸形状を有する延出部５３および６３を含む。電池ホルダ１２は、凸形状に対応する奥細りの凹形状を有する嵌合部５８および６８を含む。延出部５３と嵌合部５８とが嵌合されることにより、吸気チャンバ２１および排気チャンバ２６が形成されている。延出部６３と嵌合部６８とが嵌合されることにより、排ガス通路２８が形成されている。【選択図】図２
2008103248.tif 000002
【特許請求の範囲】
【請求項１】
電池セルと、
前記電池セルを挟持して保持し、互いに組み合わされ、流体を流通させる流体通路を形成する第１電池ホルダおよび第２電池ホルダとを備え、
前記第１電池ホルダは、前記第２電池ホルダに向かって延出し、その延出する方向に沿って徐々に細くなる先細りの凸形状を有する延出部を含み、
前記第２電池ホルダは、前記凸形状に対応する奥細りの凹形状を有する嵌合部を含み、
前記延出部と前記嵌合部とが嵌合されることにより、前記流体通路が形成されている、２次電池の保持構造。
【請求項２】
前記第１電池ホルダと前記第２電池ホルダとが、交互に積層され、
前記第１電池ホルダは、その積層方向の両側に向かって延出する一対の前記延出部を含み、
前記第２電池ホルダは、一対の前記延出部が嵌合される一対の前記嵌合部を含む、請求項１に記載の２次電池の保持構造。
【請求項３】
前記第１電池ホルダと前記第２電池ホルダとは、同一形状を有し、
前記第１電池ホルダおよび前記第２電池ホルダの積層方向において、前記第１電池ホルダと前記第２電池ホルダとが表裏反対に配置されている、請求項２に記載の２次電池の保持構造。
【請求項４】
前記第１電池ホルダおよび前記第２電池ホルダは、弾性を有する材料から成形され、
前記延出部は、前記嵌合部に圧入されている、請求項１から３のいずれか１項に記載の２次電池の保持構造。
【請求項５】
前記流体通路を流通する流体は、前記電池セルを冷却する冷媒および前記電池セルから排出されるガスの少なくともいずれか一方である、請求項１から４のいずれか１項に記載の２次電池の保持構造。
【発明の詳細な説明】
【技術分野】
【０００１】
この発明は、一般的には、２次電池の保持構造に関し、より特定的には、電池セルを保持する電池ホルダを備え、その電池ホルダに流体が流通する流体通路が形成される２次電池の保持構造に関する。
【背景技術】
【０００２】
従来の２次電池の保持構造に関して、たとえば、特開２００２−４２７５３号公報には、外周面が導電性材料により形成された電池を絶縁を確保しながら複数、積層するとともに、各電池を均等に冷却することを目的とした電池ホルダが開示されている（特許文献１）。特許文献１では、組電池が、電池と電池ホルダとが交互に積層されて構成されている。電池ホルダの外縁部には、電池の外周と整合する電池保持部が形成されている。複数の電池が、各電池の両側に配置された電池ホルダの電池保持部によって挟持されている。電池ホルダは、隣り合う電池間に冷却風の流路を形成している。
【０００３】
また、特開２００２−１４１１１４号公報には、細長い電池モジュールを均一に冷却して電池を理想的な環境で、大電流で充放電させることを目的とした組電池が開示されている（特許文献２）。特許文献２では、電池モジュールを収納するホルダケースが、複数の小ホルダを連結する状態で設けられている。隣接する小ホルダ間には、内部に空気を流す通風口が形成されている。小ホルダの側面部には、互いに嵌り合う突起または凹所が形成されている。
【０００４】
また、特開２００５−２６８００４号公報には、汎用性に優れ、簡単な構成で外部からの衝撃に対して蓄電体セルを的確に保護することを目的とした蓄電体装置が開示されている（特許文献３）。特許文献３では、平面ラミネート型電池が外装ケースに収納されている。外装ケースは、同一形状をなす複数の枠体が互いに積層されて構成されている。各枠体間を互いに連結可能とするために、枠体には、嵌合突部と嵌合凹部とが配設されている。
【０００５】
また、特開２００６−１３４８５３号公報には、バッテリボックスの小型化およびコストダウンを可能にし、かつバッテリモジュールのガタ音を防止することを目的としたバッテリボックス構造が開示されている（特許文献４）。特許文献４では、複数のバッテリモジュールが、発砲絶縁樹脂からなるインシュレータ内に収容されている。インシュレータを構成するインシュレータ本体、インシュレータアッパおよびインシュレータサイドが、互いに凹凸嵌合して連結されている。
【特許文献１】特開２００２−４２７５３号公報
【特許文献２】特開２００２−１４１１１４号公報
【特許文献３】特開２００５−２６８００４号公報
【特許文献４】特開２００６−１３４８５３号公報
【発明の開示】
【発明が解決しようとする課題】
【０００６】
上述の特許文献１では、電池ホルダが電池を挟持した状態で複数、積層されるため、電池ホルダ間につなぎ目が形成される。しかしながら、このような構成では、電池ホルダ内に形成された冷却風流路からそのつなぎ目を通じて冷却風が流出するおそれが生じる。この場合、電池の冷却効率が低下するという懸念が生じる。
【０００７】
そこでこの発明の目的は、上記の課題を解決することであり、電池ホルダ内に形成される流体通路から流体が漏洩することを抑制する２次電池の保持構造を提供することである。
【課題を解決するための手段】
【０００８】
この発明に従った２次電池の保持構造は、電池セルと、電池セルを挟持して保持し、互いに組み合わされ、流体を流通させる流体通路を形成する第１電池ホルダおよび第２電池ホルダとを備える。第１電池ホルダは、第２電池ホルダに向かって延出し、その延出する方向に沿って徐々に細くなる先細りの凸形状を有する延出部を含む。第２電池ホルダは、凸形状に対応する奥細りの凹形状を有する嵌合部を含む。延出部と嵌合部とが嵌合されることにより、流体通路が形成されている。
【０００９】
このように構成された２次電池の保持構造によれば、先細りの凸形状を有する延出部と奥細りの凹形状を有する嵌合部とを嵌合させることにより、両者を面接触させた状態で接続することができる。これにより、第１電池ホルダと第２電池ホルダとの間で、流体通路から流体が漏洩することを抑制できる。
【００１０】
また好ましくは、第１電池ホルダと第２電池ホルダとが、交互に積層されている。第１電池ホルダは、その積層方向の両側に向かって延出する一対の延出部を含む。第２電池ホルダは、一対の延出部が嵌合される一対の嵌合部を含む。このように構成された２次電池の保持構造によれば、交互に積層された第１電池ホルダと第２電池ホルダとの各間で、流体通路から流体が漏洩することを抑制できる。
【００１１】
また好ましくは、第１電池ホルダと第２電池ホルダとは、同一形状を有する。第１電池ホルダおよび第２電池ホルダの積層方向において、第１電池ホルダと第２電池ホルダとが表裏反対に配置されている。このように構成された２次電池の保持構造によれば、部品点数を増加させることなく、各電池ホルダ間で延出部と嵌合部とを嵌合させる構成を得ることができる。
【００１２】
また好ましくは、第１電池ホルダおよび第２電池ホルダは、弾性を有する材料から成形されている。延出部は、嵌合部に圧入されている。このように構成された２次電池の保持構造によれば、延出部と嵌合部との密着性を向上させることで、流体の漏洩をより効果的に抑制することができる。
【００１３】
また好ましくは、流体通路を流通する流体は、電池セルを冷却する冷媒および電池セルから排出されるガスの少なくともいずれか一方である。このように構成された２次電池の保持構造によれば、冷媒の漏洩を抑制することによって、電池セルの冷却効率を向上させることができる。また、電池セルから排出されたガスの漏洩を抑制できる。
【発明の効果】
【００１４】
以上説明したように、この発明に従えば、電池ホルダ内に形成される流体通路から流体が漏洩することを抑制する２次電池の保持構造を提供することができる。
【発明を実施するための最良の形態】
【００１５】
この発明の実施の形態について、図面を参照して説明する。なお、以下で参照する図面では、同一またはそれに相当する部材には、同じ番号が付されている。
【００１６】
図１は、この発明の実施の形態における２次電池の保持構造が適用された電池パックを示す斜視図である。図２は、図１中に示す電池パックの分解組み立て図である。
【００１７】
図１および図２を参照して、電池パック１０は、ガソリンエンジンやディーゼルエンジン等の内燃機関と、充放電可能な２次電池とを動力源とするハイブリッド車両に搭載されている。電池パック１０の搭載場所としては、車両の適切な場所であって良く、たとえば車両室内（シート下など）であったり、ラゲージルームであって良い。電池パック１０は、電池セル３１と、電池セル３１を挟持して保持し、互いに組み合わされる電池ホルダ１１および電池ホルダ１２とを備える。
【００１８】
複数の電池セル３１が、所定の方向（以下、電池セル３１の積層方向と呼ぶ）に積層されている。電池セル３１は、正極端子３２および負極端子３３を含む。複数の電池セル３１は、互いに隣り合う電池セル３１間で正極端子３２と負極端子３３とが並ぶように積層されている。互いに隣り合う電池セル３１間で正極端子３２と負極端子３３とが、図示しないバスバーにより接続されている。複数の電池セル３１は、互いに電気的に直列に接続されている。
【００１９】
電池セル３１は、リチウムイオン電池から構成されている。電池セル３１は、充放電可能な２次電池であれば特に限定されず、たとえばニッケル水素電池であっても良い。電池セル３１は、セル内部に発生したガスを外部に排出する排気口３６を含む。
【００２０】
電池ホルダ１１と電池ホルダ１２とは、電池セル３１の積層方向に沿って交互に配置されている。その交互に配置された電池ホルダ１１および１２の両側には、エンドプレート４０および４１が配置されている。エンドプレート４０とエンドプレート４１とは、拘束部材としての拘束バンド４２により互いに結合されている。拘束バンド４２は、電池セル３１の積層方向に沿った拘束力を電池ホルダ１１および１２に作用させている。このような構成により、交互に配置された電池ホルダ１１および１２が、拘束バンド４２によって一体に保持されている。
【００２１】
なお、電池ホルダ１１および１２を一体に保持する拘束部材は、拘束バンド４２に限定されず、たとえば、電池セル３１の積層方向に軸力を発生させるボルトであっても良い。また、拘束部材は、電池セル３１の積層方向に締め付け力を発生させるゴムや紐、テープ等であっても良い。
【００２２】
電池セル３１は、互いに反対側に面する一対の側面３１ａを有する。側面３１ａは、電池セル３１が有する複数の表面のうち最も大きい面積を有する表面である。複数の電池セル３１は、電池セル３１の積層方向に隣り合う位置で側面３１ａが互いに向い合うように配置されている。
【００２３】
電池ホルダ１１および１２は、吸気チャンバ２１ｍおよび２１ｎ（以下、両者を区別しない場合には吸気チャンバ２１と呼ぶ）と、排気チャンバ２６ｍおよび２６ｎ（以下、両者を区別しない場合には排気チャンバ２６と呼ぶ）とを形成する。吸気チャンバ２１ｍと吸気チャンバ２１ｎとは、電池ホルダ１１および１２の側辺に沿って上下に並ぶ。排気チャンバ２６ｍと排気チャンバ２６ｎとは、電池ホルダ１１および１２の側辺に沿って上下に並ぶ。冷却風の流れ方向に直交する平面で切断された場合に、吸気チャンバ２１および排気チャンバ２６は、略矩形の断面形状を有する。
【００２４】
吸気チャンバ２１および排気チャンバ２６は、電池セル３１の積層方向の直交方向において電池セル３１に隣接して設けられている。吸気チャンバ２１および排気チャンバ２６は、電池セル３１の積層方向に延びている。吸気チャンバ２１および排気チャンバ２６は、電池セル３１を挟んで水平方向に並んでいる。電池パック１０では、高さを低く抑えるため、冷却風を水平方向に流通させる横流し方式が採られている。
【００２５】
電池ホルダ１１および１２は、吸気チャンバ２１と排気チャンバ２６との間で冷却風を流通させる冷却風通路２３をさらに形成する。冷却風通路２３は、積層方向に隣り合う電池セル３１の間にそれぞれ形成されている。冷却風通路２３は、電池セル３１の積層方向の直交方向に延びる。
【００２６】
吸気チャンバ２１には、チャンバ内に空気を圧送する押し込み型のファンが接続されている。この場合、電池パック１０内で吸気チャンバ２１の圧力が最も高くなる。あるいは、排気チャンバ２６には、チャンバ内の空気を吸引する引き込み型のファンが接続されている。この場合、電池パック１０内で排気チャンバ２６内の圧力が最も低くなる。
【００２７】
図３は、図１中の電池パックに冷却風が流通する様子を示す平面図である。図１から図３を参照して、車両室内から電池パック１０に導入された冷却風は、吸気チャンバ２１から冷却風通路２３に流れ込む。冷却風通路２３に流れ込んだ冷却風は、電池セル３１の側面３１ａに沿って流れ、この間、電池セル３１を冷却する。電池セル３１との熱交換によって温度上昇した冷却風は、冷却風通路２３から排気チャンバ２６に流れ込む。吸気チャンバ２１と冷却風通路２３との間および冷却風通路２３と排気チャンバ２６との間で、冷却風の流れ方向が変化する。本実施の形態では、これらの間で、冷却風の流れ方向が９０°変化する。
【００２８】
なお、図中には、吸気チャンバ２１および排気チャンバ２６に同一方向に冷却風が流れる場合を示したが、反対方向に冷却風が流れる構成としても良い。
【００２９】
電池ホルダ１１および１２は、電池セル３１から排出されたガスを流通させる排ガス通路２８ｍおよび２８ｎ（以下、両者を区別しない場合には排ガス通路２８と呼ぶ）を形成する。排気口３６は、排ガス通路２８内で開口する。排ガス通路２８は、電池セル３１の積層方向に延びる。排ガス通路２８は、電池セル３１の直上に形成されている。
【００３０】
図４は、図１中の電池ホルダを示す斜視図である。図５は、図１中の電池ホルダの分解組み立て図である。図４および図５を参照して、電池ホルダ１１および１２は、絶縁性材料から形成されている。電池ホルダ１１および１２は、弾性を有する材料から成形されている。電池ホルダ１１および１２は、ポリプロピレン（polypropylene）やポリプロピレンの重合体等の樹脂材料から形成されている。電池ホルダ１１および１２は、表面に樹脂がコーティングされた金属から形成されても良い。
【００３１】
電池ホルダ１１は、分割体１３および分割体１４を含む。分割体１３と分割体１４とは、電池セル３１を挟持した状態で一体化されている。分割体１３と分割体１４とは、超音波溶着あるいは熱溶着により一体化されている。電池ホルダ１２は、電池ホルダ１１と同様の構造を有する。
【００３２】
電池ホルダ１１および１２は、枠体５１を含む。枠体５１は、電池セル３１の周縁を取り囲むように形成されている。枠体５１は、略矩形の枠形状を有する。枠体５１は、端面５１ａと端面５１ｂとを含む。端面５１ａと端面５１ｂとは、電池セル３１の積層方向において互いに反対方向を向く。端面５１ａおよび５１ｂは、電池セル３１の積層方向に直交する平面内で延在する。
【００３３】
電池ホルダ１１は、延出部５３ｍおよび５３ｎ（以下、両者を区別しない場合には延出部５３と呼ぶ）を含む。延出部５３ｍと延出部５３ｎとは、電池ホルダ１１の側辺に沿って上下に並ぶ。延出部５３は、枠体５１に一体に成形されている。延出部５３は、電池ホルダ１２に向けて延出する凸形状を有する。電池ホルダ１２は、嵌合部５８ｍおよび５８ｎ（以下、両者を区別しない場合には嵌合部５８と呼ぶ）を含む。嵌合部５８ｍと嵌合部５８ｎとは、電池ホルダ１２の側辺に沿って上下に並ぶ。嵌合部５８は、枠体５１に成形されている。嵌合部５８は、延出部５３が有する凸形状に対応する凹形状を有する。
【００３４】
本実施の形態では、電池ホルダ１１と電池ホルダ１２とは、同一形状を有する。電池ホルダ１１および１２は、端面５１ａおよび端面５１ｂからそれぞれ延出する一対の延出部５３と、端面５１ａおよび端面５１ｂからそれぞれ凹む一対の嵌合部５８とを含む。電池セル３１の積層方向において、電池ホルダ１１と電池ホルダ１２とは互いに表裏反対となるように配置されている。すなわち、互いに隣り合う電池ホルダ１１および電池ホルダ１２間で、電池ホルダ１１の端面５１ａと電池ホルダ１２の端面５１ａとが向い合い、電池ホルダ１１の端面５１ｂと電池ホルダ１２の端面５１ｂとが向い合う。このとき、互いに隣り合う電池ホルダ１１および電池ホルダ１２間で、電池ホルダ１１の延出部５３と電池ホルダ１２の嵌合部５８とが対向し、電池ホルダ１１の嵌合部５８と電池ホルダ１２の延出部５３とが対向する。
【００３５】
延出部５３は、吸気チャンバ２１または排気チャンバ２６を取り囲むように筒形状に形成されている。嵌合部５８は、枠体５１を貫通する孔形状に形成されている。互いに隣り合う電池ホルダ１１および電池ホルダ１２間で、延出部５３と嵌合部５８とが嵌合されることにより、吸気チャンバ２１および排気チャンバ２６が形成されている。
【００３６】
延出部５３は、吸気チャンバ２１または排気チャンバ２６を三方から取り囲む。延出部５３は、冷却風通路２３に向い合う位置で切り欠かれている。延出部５３は、吸気チャンバ２１または排気チャンバ２６の全周を取り囲む形状を有しても良い。この場合、たとえば、冷却風通路２３に向い合う位置で延出部５３に開口部が形成されることにより、冷却風通路２３およびチャンバ間の冷却風の流通が確保される。
【００３７】
図６は、図２中のＶＩ−ＶＩ線上に沿った電池パックの断面図である。図中では、代表的に排気チャンバ２６を形成する電池ホルダ１１および１２の一断面を示したが、延出部５３および嵌合部５８が嵌合するこれ以外の断面も、同様の形状を有する。
【００３８】
図４から図６を参照して、延出部５３は、その延出する方向に沿って徐々に細くなる先細りの凸形状を有する。延出部５３は、端面５１ａおよび端面５１ｂからそれぞれ離れるに従って徐々に細くなる先細りの凸形状を有する。延出部５３は、テーパ面５３ａを含む。テーパ面５３ａは、延出部５３の外周面である。テーパ面５３ａは、電池セル３１の積層方向に対して傾斜して延在する。電池セル３１の積層方向に直交する平面で切断された場合に、テーパ面５３ａにより囲まれる延出部５３の面積は、端面５１ａおよび端面５１ｂから離れるに従って徐々に減少する。
【００３９】
延出部５３は、吸気チャンバ２１または排気チャンバ２６を形成する内壁５３ｄを含む。内壁５３ｄは、チャンバ内の冷却風の流れ方向に対して平行に延在する。このような構成により、吸気チャンバ２１または排気チャンバ２６内で冷却風流れの圧損が増大することを防ぐ。
【００４０】
嵌合部５８は、延出部５３が有する凸形状に対応する奥細りの凹形状を有する。嵌合部５８は、端面５１ａおよび端面５１ｂからそれぞれ離れるに従って、徐々に細くなる奥細りの凹形状を有する。嵌合部５８は、テーパ面５８ａを含む。テーパ面５８ａは、嵌合部５８に嵌合された延出部５３のテーパ面５３ａと対向する。テーパ面５８ａは、電池セル３１の積層方向に対して傾斜して延在する。テーパ面５８ａは、テーパ面５３ａと同じ傾きで延在する。電池セル３１の積層方向に直交する平面で切断された場合に、テーパ面５８ａにより囲まれる嵌合部５８の面積は、端面５１ａおよび端面５１ｂからそれぞれ離れるに従って減少する。
【００４１】
延出部５３と嵌合部５８とは、冷却風通路２３の延長線上で嵌合する。互いに隣り合う電池ホルダ１１および電池ホルダ１２の間で、端面５１ａ同士が離間し、端面５１ｂ同士が離間する。延出部５３は、その延出する先端に先端部５３ｅを含む。互いに隣り合う電池ホルダ１１および電池ホルダ１２の間で、先端部５３ｅ同士が離間する。
【００４２】
延出部５３と嵌合部５８とが嵌合された状態で、テーパ面５３ａとテーパ面５８ａとが面接触する。延出部５３および嵌合部５８は、それぞれ他方を誘い込む凸形状および凹形状を有するため、拘束バンド４２による拘束力により、テーパ面５８ａとテーパ面５３ａとの密着性が増大する。電池ホルダ１１および１２が弾性変形することにより、延出部５３が嵌合部５８に対して圧入される。
【００４３】
このような構成により、電池ホルダ１１と電池ホルダ１２との間で吸気チャンバ２１および排気チャンバ２６の密閉性を向上させることができる。これにより、吸気チャンバ２１および排気チャンバ２６を流通する冷却風が電池ホルダ１１および１２から漏洩することを抑制できる。また、電池パック１０の組み立て工程時、延出部５３と嵌合部５８との嵌合により電池ホルダ１１と電池ホルダ１２との結合性を高めることができる。これにより、拘束バンド４２による拘束前、組み合わされた電池ホルダ１１および電池ホルダ１２の取り扱いが容易となり、組み立て時の作業性を向上させることができる。
【００４４】
図４および図５を参照して、電池ホルダ１１および１２は、一対の延出部６３と、一対の嵌合部６８とを含む。互いに隣り合う電池ホルダ１１および電池ホルダ１２間で、電池ホルダ１１の延出部６３と電池ホルダ１２の嵌合部６８とが向い合い、電池ホルダ１１の嵌合部６８と電池ホルダ１２の延出部６３とが向い合う。延出部６３および嵌合部６８は、それぞれ延出部５３および嵌合部５８と同様の形状を有する。互いに隣り合う電池ホルダ１１および電池ホルダ１２間で、延出部６３と嵌合部６８とが嵌合されることによって、排ガス通路２８が形成されている。
【００４５】
このような構成により、排ガス通路２８を流通するガスが電池ホルダ１１および１２から漏洩することを抑制できる。
【００４６】
この発明の実施の形態における２次電池の保持構造は、電池セル３１と、電池セル３１を挟持して保持し、互いに組み合わされ、流体を流通させる流体通路としての吸気チャンバ２１、排気チャンバ２６および排ガス通路２８を形成する第１電池ホルダとしての電池ホルダ１１および第２電池ホルダとしての電池ホルダ１２とを備える。電池ホルダ１１は、電池ホルダ１２に向かって延出し、その延出する方向に沿って徐々に細くなる先細りの凸形状を有する延出部５３および６３を含む。電池ホルダ１２は、凸形状に対応する奥細りの凹形状を有する嵌合部５８および６８を含む。延出部５３と嵌合部５８とが嵌合されることにより、吸気チャンバ２１および排気チャンバ２６が形成されている。延出部６３と嵌合部６８とが嵌合されることにより、排ガス通路２８が形成されている。
【００４７】
このように構成された、この発明の実施の形態における２次電池の保持構造によれば、吸気チャンバ２１および排気チャンバ２６に流通する冷却風および排ガス通路２８を流通するガスが、電池ホルダ１１および１２内から漏洩することを抑制できる。本実施の形態では、吸気チャンバ２１および排気チャンバ２６や排ガス通路２８の気密性を確保するためにスポンジやブチルテープ等の別部材を使用しないため、組み付け工程や部品コストの増大を招くことがない。
【００４８】
図７は、図４中に示す延出部および嵌合部の変形例を示す図である。図７（Ａ）は延出部を示し、図７（Ｂ）は嵌合部を示す。図７を参照して、延出部５３および嵌合部５８の形状は、吸気チャンバ２１および排気チャンバ２６の断面形状に合わせて適宜変更されても良い。
【００４９】
本変形例では、吸気チャンバ２１および排気チャンバ２６が、電池セル３１の積層方向に直交する平面で切断された場合に、半楕円形の断面形状を有する。これに合わせて、延出部５３は、吸気チャンバ２１または排気チャンバ２６の周囲で半楕円形に延在する形状を有する。嵌合部５８は、延出部５３が有する凸形状に対応する凹形状を有する。延出部５３は、湾曲面からなる内壁５３ｄを含む。このような構成によれば、吸気チャンバ２１および排気チャンバ２６内の角部を減らし、冷却風流れの圧損を低減させることができる。
【００５０】
他の変形例として、図４中の枠体５１の上下の辺に沿って、延出部および嵌合部が嵌合する構造を設けても良い。この場合、冷却風通路２３内から冷却風が漏洩することを抑制できる。また、本実施の形態では、電池ホルダ１１および１２を構成する分割体１３と分割体１４とを溶着する構造としたが、分割体１３および分割体１４の間に延出部および嵌合部が嵌合する構造を設け、電池セル１１を挟持した状態で分割体１３および分割体１４を積層する構造としても良い。
【００５１】
なお、電池パックの構造は、図１中に示す形態に限定されない。図１中に示す電池パック１０では、冷却風が水平方向に流通する横流し方式が採られているが、冷却風が上下方向に流通する縦流し方式が採られても良い。また、複数の電池セル３１を積層する形態は、図２中に示す形態に限定されず、たとえば、冷却風通路２３内の冷却風の流れ方向に複数の電池セルが並べられても良い。
【００５２】
また、本発明を、燃料電池と２次電池とを駆動源とする燃料電池ハイブリッド車両（ＦＣＨＶ：Fuel Cell Hybrid Vehicle）または電気自動車（ＥＶ：Electric Vehicle）に適用することもできる。本実施の形態におけるハイブリッド車両では、燃費最適動作点で内燃機関を駆動するのに対して、燃料電池ハイブリッド車両では、発電効率最適動作点で燃料電池を駆動する。また、２次電池の使用に関しては、両方のハイブリッド車両で基本的に変わらない。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５４】
【図１】この発明の実施の形態における２次電池の保持構造が適用された電池パックを示す斜視図である。
【図２】図１中に示す電池パックの分解組み立て図である。
【図３】図１中の電池パックに冷却風が流通する様子を示す平面図である。
【図４】図１中の電池ホルダを示す斜視図である。
【図５】図１中の電池ホルダの分解組み立て図である。
【図６】図２中のＶＩ−ＶＩ線上に沿った電池パックの断面図である。
【図７】図４中に示す延出部および嵌合部の変形例を示す図である。
【符号の説明】
【００５５】
１０  電池パック、１１，１２  電池ホルダ、２１  吸気チャンバ、２６  排気チャンバ、２８  排ガス通路、３１  電池セル、５３，６３  延出部、５８，６８  嵌合部。
【図１】
2008103248.tif 000003
【図２】
2008103248.tif 000004
【図３】
2008103248.tif 000005
【図４】
2008103248.tif 000006
【図５】
2008103248.tif 000007
【図６】
2008103248.tif 000008
【図７】
2008103248.tif 000009